(57)【要約】      （修正有）【課題】浮気調査に関し、現場の場所や音声、写真等の証拠が入手可能な浮気情報記録装置を提供する。【解決手段】調査対象者がその日着用する衣類等に、時間毎に作動する浮気情報記録装置を取り付け、内蔵されたＧＰＳ（２）、マイク（３）、マイクロコンピューター（５）が時間毎に作動し、調査対象者の外出時の位置情報、音声情報、および記録時間をマイクロコンピューター内のメモリーに記録し、調査対象者が帰宅後、衣類から浮気情報記録装置を取り外し、データ出入力器（６）に接続し、データはケーブルを経由しパソコン（８）に転送され、転送されたデータ、いわゆる調査対象者が外出していた際の時間毎の位置情報と音声情報および記録時間を解析して、いつ、どこで、誰と浮気を行っていたかを確認し、その時の音声により浮気の証拠を入手することを特徴とする。【選択図】図１
2015088151.tif 000002
【特許請求の範囲】
【請求項１】
浮気情報記録装置（１）にＧＰＳ（２）、アンテナ（４）、マイクロコンピューター（５）、リチウム電池（９）を設け、ＧＰＳ（２）、アンテナ（４）、マイクロコンピューター（５）、リチウム電池（９）の組み合わせにより、調査対象者が外出している際の調査対象者の時間毎の位置情報をマイクロコンピューター（５）内のメモリーに記録する浮気情報記録装置。
【請求項２】
浮気情報記録装置（１）に、マイク（３）、マイクロコンピューター（５）、リチウム電池（９）を設け、マイク（３）、マイクロコンピューター（５）、リチウム電池（９）の組み合わせにより、調査対象者が外出している際の調査対象者の時間毎の音声をマイクロコンピューター（５）内のメモリーに記録する浮気情報記録装置。
【請求項３】
請求項１、請求項２により調査対象者の時間毎の位置情報と音声情報をマイクロコンピューター（５）内のメモリーに記録を行うが、記録をいつ行ったかがわかるように、記録を行った時間を浮気情報記録装置（１）に設けたマイクロコンピューター（５）内のメモリーに記録する、浮気情報記録装置。
【請求項４】
調査対象者が外出中の位置情報と音声情報および記録時間を時間毎に浮気情報記録装置（１）に設けたマイクロコンピューター（５）内のメモリーに記録を行うことを特徴とする浮気情報記録装置。
【請求項５】
請求項４により、浮気情報記録装置（１）は時間毎に記録を行うので、表示画面や大容量の電池を必要とせず、腕時計などで使用されるリチウム電池（９）を浮気情報記録装置（１）に使用することにより、本体の構成を超小型、軽量、薄型、にすることができ、衣類等に取り付けることを特徴とする。
【発明の詳細な説明】
【技術分野】
【０００１】本発明は、浮気をしている調査対象者が自宅から外出した際の時間毎の位置情報と音声情報および記録時間を、マイクロコンピューター内のメモリーに記録する装置で、調査対象者が帰宅後、この記録されたデータを解析することにより、浮気を行っているか確認し、浮気を立証する音声の証拠を入手する浮気情報の記録装置に関するものである。
【背景技術】
【０００２】従来の浮気調査は、調査会社および探偵会社の浮気調査員が数名で調査対象者を尾行し、風俗店への出入りやラブホテルなどの出入りを確認し、現場写真の撮影などを行い、浮気を立証している。【０００３】ＧＰＳ（グローバル・ポジショニング・システム  以下ＧＰＳという）を用いる位置確認システムは、飛行機、船舶、および車両などに使われており、また、携帯電話に内蔵されているＧＰＳを利用し、携帯電話の現在位置を確認するのにも使われている。【０００４】ボイスレコーダーを用いる音声録音装置は会社の会議の内容を録音したり、家族に伝言を残すときなどに利用されている。【０００５】静電気容量方式タッチセンサー、半導体温度センサー、半導体加速度センサー、半導体光センサーを利用し、パンツまたはズボンが体から離れたことをマイクロコンピューター内のメモリーに記録する装置がある。
【先行技術文献】
【特許文献】
【０００６】
【特許文献１】  ４６６３５８３  号公報
【特許文献２】  ５１５７７８８  号公報
【特許文献３】  特開２００８−４７０８６  号公報
【特許文献４】  特開２００８−１２６６６４  号公報
【特許文献５】  特開２０１３−０３６１５４  号公報
【発明の概要】
【発明が解決しようとする課題】
【０００７】従来の浮気調査には、次のような問題や欠点がある。
（イ）浮気調査員が、調査対象者を尾行する際、調査員（人）が追跡を行うので調査対象者を見失うという問題があり、また調査員数名で追跡し浮気現場の写真などを撮影するためプライバシーの漏えいが問題となっている。
（ロ）調査対象者が、自宅から外出中のすべての時間、調査員数名で浮気発生までの数日間追跡を必要とするため、非効率で調査費用も高額になるという問題がある。
（ハ）車両や携帯電話に内蔵されたＧＰＳを利用して、浮気調査をするという方法もあるが、車両や携帯電話の移動位置情報しかわからず、浮気を行っていたかが曖昧であり、また調査対象者が浮気を実行する際、車両を有料の駐車場に駐車して浮気を実行すれば、浮気の確認ができないという欠点がある。携帯電話については、携帯電話の電源をオフの状態にすると、調査対象者の追跡はできなくなるという欠点もある。
（ニ）上記（ハ）での問題以外に、携帯電話や車両の移動位置情報で浮気を推測する方法は、携帯電話や車両の移動位置情報をリアルタイムで表示するため、表示画面や容量の大きな電池を必要とする。そのため、秘密に行う浮気調査には大きくて重たくなり、不向きである。
（ホ）携帯電話や車両の移動位置情報で、調査対象者が自宅から外出した際、どこに行くのかを確認する方法は、配偶者が携帯電話やパソコンを使用し、調査対象者の外出中の時間ずっと、調査対象者の携帯電話や車両の位置情報を追跡しなければならず、とても非効率である。
（ヘ）現在のボイスレコーダーの録音時間が数日間継続して録音できることから、車両の座席の下などに録音できうる状態でボイスレコーダーを放置し、配偶者の運転中の会話を録音するという方法があるが、運転中の会話しか録音できず、浮気を行っているか曖昧であり、また録音が数日間継続してできうるからこそ、大容量の電池を必要とし、大きく、重たくなり、秘密に行う浮気調査には不向きである。
（ト）静電気容量方式タッチセンサー、半導体温度センサー、半導体加速度センサー、半導体光センサーを利用し、衣類の着脱を検出をする装置があるが、衣類の着脱しか確認できず、どこで誰と浮気を行っていたかという情報は入手できないという問題があり、また各センサーで衣類の着脱のみを検出しているので、センサーで衣類の着脱を検出できうるところにしか装置を取り付けることができないという問題がある。
本発明は、以上のような問題や欠点を無くすためになされたものである。
【課題を解決するための手段】
【０００８】調査対象者がその日着用する衣類（その他の身に着けるもの、以下、衣類等という）に浮気情報記録装置（１）を取り付け、ＧＰＳ（２）、マイク（３）、マイクロコンピューター（５）が時間毎に作動し、調査対象者が外出している際の時間毎の調査対象者の位置情報と音声情報および記録時間をマイクロコンピューター（５）内のメモリーに記録する。記録されたデータはデータ出入力器（６）に接続し、ケーブル（７）を経由して、パソコン（８）に転送する装置。【０００９】請求項１に関わる浮気情報記録装置（１）は、ＧＰＳ（２）、マイクロコンピューター（５）が時間毎に作動し、調査対象者の時間毎の位置情報をマイクロコンピューター（５）内のメモリーに記録されるものである。【００１０】請求項２に関わる浮気情報記録装置（１）は、請求項１で位置情報を記録するのと同時にマイク（３）、マイクロコンピューター（５）が作動し、調査対象者の時間毎の音声情報をマイクロコンピューター（５）内のメモリーに記録するものである。【００１１】請求項３に関わる浮気情報記録装置（１）は位置情報と音声情報の記録をいつ行ったかがわかるように位置情報と音声情報の記録を行った時間をマイクロコンピューター（５）内のメモリーに記録されるものである。【００１２】請求項４に関わるものは、請求項１〜請求項３に関わる位置情報、音声情報、記録時間を時間毎に記録することにより、従来の携帯電話や車両のカーナビのように現在位置をリアルタイムで表示画面に表示をすることがなくなり、表示画面や大容量の電池、スピーカーなども必要としない。
また、時間毎に浮気情報を記録することにより、リアルタイムに位置情報の表示や音声情報を記録しないため、電力消費を最小限にすることが可能となる。【００１３】請求項５にかかわるものは、請求項４に関する時間毎に浮気情報の記録を行うため、記録を行っている以外の時は待機状態となり、電力消費を最小限に抑えることができるので、腕時計にも用いられるリチウム電池（９）を採用することで、充電する手間が省け、また、装置本体は超小型で軽量、薄型、にすることが可能となり、図３、図４の実施例でもわかるように、衣類等のあらゆる場所に取り付けが可能となる。
本発明は、以上のような構成となる浮気情報記録装置である。
【発明の効果】
【００１４】配偶者の浮気行為や未成年者の不健全性的行為を調査会社や探偵会社に依頼せず、いつ、どこで、誰と、浮気や不健全性的行為をしていたかを配偶者が確認でき同時に浮気の証拠となる音声や、浮気を実行した位置および浮気を実行した時間を入手することが可能となる。【００１５】浮気情報記録装置は、図５の寸法図で分かるように、超小型、軽量、薄型であるため、調査対象者の衣類等に取り付けることができ調査対象者を見失うことがなくなり、第三者（浮気調査員）が浮気調査に携わらないため、プライバシーの漏えいも同時になくなる。また、浮気調査員（人）を必要としないので合理的で調査費用も安価で提供できる。【００１６】浮気情報記録装置は、調査対象者が自宅から外出している際の時間毎の調査対象者の位置情報と、音声情報および記録時間をマイクロコンピューター内のメモリーに記録しているので、リアルタイムの情報は必要としなくなり、従来の携帯電話や車両のカーナビなどで必要であった表示画面や大容量の電池やスピーカーなども必要とせず、静電気容量方式タッチセンサー、半導体温度センサー、半導体光センサー、半導体加速度センサーなどのセンサー類も必要としないので、図５の寸法図で分かるように、超小型、軽量、薄型となり、調査対象者の衣類等に取り付けることが可能となる。今まで起こりがちであった車両や携帯電話の電源オフ状態での調査対象者の追跡ができなかった問題を解決することができ、また調査対象者が２〜３日の出張などに出かけるときは、マイクロコンピューター内のメモリーと予備のメモリーによって調査対象者の時間毎の位置情報と音声情報及び記録時間を記録することが可能となる。【００１７】時間毎の位置情報と音声情報および時間記録情報は、いつ、どこで、誰と、どのような会話をしているのかを記録するので、たとえばラブホテルで浮気相手と会話している音声や、また風俗店で風俗嬢との会話なども想定でき、会話の内容によっては浮気相手の音声や名前も入手することが可能となる。【００１８】従来の浮気調査会社の浮気調査員でしか入手できなかった、いつ、どこで、誰と、浮気を行っているのかという情報を、調査会社に依頼せず自分で確認することができる。また、記録された音声の声紋鑑定を行えば、浮気写真と同等の証拠も入手可能となる。【００１９】この浮気情報記録装置は、浮気だけでなく未成年者の衣類等に取り付けることにより、学校での友人同士の会話や学校以外での行動を時間毎で知ることができ、会話の内容によっては自分の子どもがいじめられているかなどの情報もいち早く知ることも可能である。
【図面の簡単な説明】
【００２０】
【図１】本発明の構成図である。
【図２】本発明の斜視図である。
【図３】衣類（ズボン）に取り付ける実施例である。
【図４】衣類（上着）に取り付ける実施例である。
【図５】浮気情報記録装置の寸法図である。
【発明を実施するための形態】
【００２１】以下、本発明を実施するための形態について説明する。
調査対象者がその日着用する衣類等に、浮気情報記録装置（１）を取り付け、浮気情報記録装置（１）に内蔵されたＧＰＳ（２）、マイク（３）、マイクロコンピューター（５）が時間毎に作動し、調査対象者の位置情報と音声情報、および記録時間を時間毎にマイクロコンピューター（５）内のメモリーに記録し、調査対象者が帰宅後、衣類等から浮気情報記録装置（１）を取り外し、データ出入力器（６）に接続し、ケーブル（７）を経由してパソコン（８）に転送する装置。
本発明は以上のような構造である。
これを使用する時には、浮気を行っている調査対象者がその日自宅から外出する際の衣類等に浮気情報記録装置（１）を取り付け、調査対象者が外出中の時間毎にＧＰＳ（２）とマイク（３）、マイクロコンピューター（５）が作動し、ＧＰＳ（２）で時間毎の調査対象者の位置情報をマイクロコンピューター（５）内のメモリーに記録し、さらにマイク（３）でその時の音声情報をマイクロコンピューター（５）内のメモリーに記録しておく。この位置情報と音声情報の記録された時間もマイクロコンピューター（５）内のメモリーに記録される。この一連の記録動作は、調査対象者が外出中、時間毎に繰り返され、調査対象者が帰宅後、浮気情報記録装置（１）を調査対象者の衣類等から取り外し、データ出入力器（６）に接続しケーブル（７）を経由してパソコン（８）に転送し、いつ、どこで、誰と、どのような会話をしていたかを解析し、浮気を行っていた位置の確認と浮気を行った時間、および音声による浮気の証拠を入手する。
【実施例１】
【００２２】装置の取り付け実施例１を、図３に基づいて説明する。図３は、調査対象者が外出する際、着用する衣類（ズボン）である。１２（折り返し）の内側に、浮気情報記録装置（１）を取り付ける。
また、１３の後ろポケットの裏などにも取り付けることが可能である。
【実施例２】
【００２３】装置の取り付け実施例２を、図４に基づいて説明する。図４は調査対象者が外出する際に着用する衣類（上着）である。この上着の１４（襟の折り返し）の内側に浮気情報記録装置（１）を取り付けることが可能である。
ほかにも、衣類の折り返しの部分で浮気情報記録装置（１）が見えない場所であれば、超小型、軽量、薄型なので、どこにでも取り付けが可能である。
【符号の説明】
【００２４】１    浮気情報記録装置
２    ＧＰＳ
３    マイク
４    アンテナ
５    マイクロコンピューター
６    データ出力器
７    ケーブル
８    パソコン
９    リチウム電池
１０  コネクター
１１  予備メモリー
１２  折り返し
１３  後ろポケット
１４  襟の折り返し
【図１】
2015088151.tif 000003
【図２】
2015088151.tif 000004
【図３】
2015088151.tif 000005
【図４】
2015088151.tif 000006
【図５】
2015088151.tif 000007